(57)【要約】      （修正有）【課題】受信装置におけるゲイン制御時の復調性能の劣化を抑止する。【解決手段】ガードインタバルを有するＯＦＤＭ信号を受信する受信装置３０において、ＯＦＤＭ復調部３１は、ガードインタバルタイミングを検出して、ＡＧＣ制御部３２に通知する。ＡＧＣ制御部３２は、デジタル補正部２２Ｉ、２２Ｑの出力に基づき、通知されたガードインタバルタイミングに従い、ステップゲイン可変アンプ２１、ステップゲイン可変ＢＢアンプ１４Ｉ、１４Ｑ、デジタル補正部２２Ｉ、２２Ｑ、のゲインを補正する。【選択図】図５
2015115679.tif 000002
【特許請求の範囲】
【請求項１】
データシンボルと無効データが配置されている信号を受信する受信装置において、
入力された前記信号を増幅する増幅部と、
前記無効データの区間に前記増幅部のゲインを調整するゲイン調整部と
を備える受信装置。
【請求項２】
入力された前記信号はOFDM信号であり、
前記無効データはガードインターバルである
請求項１に記載の受信装置。
【請求項３】
前記増幅部は、離散的にゲインを変えるアナログ回路である
請求項２に記載の受信装置。
【請求項４】
前記増幅部によるステップ応答の逆特性を有するデジタル補正部を
さらに備える
請求項３に記載の受信装置。
【請求項５】
デジタル補正後の前記OFDM信号を復調する復調部をさらに備え、
前記復調部は、前記ガードインターバルを除去するために利用する前記データシンボルの開始タイミングを表すデータタイミングを検出し、前記データタイミングを所定の遅延量だけずらすことにより前記ガードインターバルの開始タイミングを表すガードインターバルタイミングを生成して前記ゲイン調整部に通知する
請求項４に記載の受信装置。
【請求項６】
前記ゲイン調整部は、デジタル補正後の前記OFDM信号のRMS値を基準値に合わせるように前記増幅部のゲインを調整する
請求項４に記載の受信装置。
【請求項７】
前記ゲイン調整部は、デジタル補正後の前記OFDM信号のピーク値を基準値に合わせるように前記増幅部のゲインを調整する
請求項４に記載の受信装置。
【請求項８】
前記ゲイン調整部は、前記ガードインターバルタイミングに同期して前記増幅部のゲインを調整する
請求項４に記載の受信装置。
【請求項９】
前記ゲイン調整部は、デジタル補正後の前記OFDM信号のRMS値またはピーク値が予め設定されている範囲外の値であった場合、前記ガードインターバルタイミングに拘わらず前記増幅部のゲインを調整する
請求項４に記載の受信装置。
【請求項１０】
前記ゲイン調整部は、デジタル補正後の前記OFDM信号のRMS値またはピーク値が予め設定されている範囲外の値であった場合、時定数をより大きな値に変更する
請求項４に記載の受信装置。
【請求項１１】
データシンボルと無効データが配置されている信号を受信する受信装置の受信方法において、
前記受信装置による、
入力された前記信号を増幅する増幅ステップと、
前記無効データの区間に前記増幅ステップのゲインを調整するゲイン調整ステップと
を含む受信方法。
【請求項１２】
データシンボルと無効データが配置されている信号を受信する受信装置の制御用のプログラムにおいて、
入力された前記信号を増幅する増幅ステップと、
前記無効データの区間に前記増幅ステップのゲインを調整するゲイン調整ステップと
を含む処理を前記受信装置のコンピュータに実行させるプログラム。
【発明の詳細な説明】
【技術分野】
【０００１】
本開示は、受信装置、受信方法、およびプログラムに関し、特に、例えばOFDM(Orthogonal Frequency Division Multiplexing)変調されている信号を受信する場合に用いて好適な受信装置、受信方法、およびプログラムに関する。
【背景技術】
【０００２】
デジタル信号の変調方式としてOFDM（直交周波数分割多重方式）が知られており、これはデジタルテレビジョン放送、携帯電話、無線LANなどに採用されている。
【０００３】
一方、これらのOFDM変調された信号（以下、OFDM信号と称する）を受信する電子機器としては、スマートフォンやタブレットPCなどの携帯端末を挙げることができる。携帯端末はそのバッテリ容量に制限があるので、OFDM信号の受信に際しても低消費電力が要求されている。そして、この要求を実現ために、携帯端末に搭載する、OFDM信号の受信機能を有するLSIには、アナログ回路とデジタル回路が同一シリコン上に実装されるSOCソリューションを採用することが多い。
【０００４】
ところで、LSIなどの半導体は微細化が進められており、この恩恵によってLSIにおけるデジタル回路は小型かつ低消費電力を実現可能となった。しかしながら、LSIにおけるアナログ回路については電源電圧の低下などの影響を抑止するために、逆に消費電力が増えたり回路規模が大きくなったりして微細化の恩恵を活かすことができない。このため、SOCソリューションを採用したLSIにおいては、アナログ回路の小型化と低消費電力化が要求されている。
【０００５】
図１は、携帯端末にLSIとして搭載される、OFDM信号を受信する受信装置の従来の構成の一例を示している。
【０００６】
この受信装置１０は、ゲイン可変アンプ１１、周波数変換部１２Ｉおよび１２Ｑ、BBフィルタ１３Ｉおよび１３Ｑ、ステップゲイン可変BBアンプ１４Ｉおよび１４Ｑ、AD変換部(ADC)１５Ｉおよび１５Ｑ、局部発振部（LO Gen.）１６、AGC制御部(AGC CTRL LOGIC)１７、並びにOFDM復調部(DMD)１８から構成される。
【０００７】
ゲイン可変アンプ１１は、AGC制御部１７から通知されるRFゲインに従い、RF信号であるOFDM信号を連続的に増幅して周波数変換部１２Ｉおよび１２Ｑに出力する。周波数変換部１２Ｉは、増幅されたOFDM信号に局部発振部１６からの周波数変換用信号を混合することにより、RF信号をIF信号に変換してBBフィルタ１３Ｉに出力する。周波数変換部１２Ｑは、増幅されたOFDM信号に局部発振部１６からの周波数変換用信号を混合することにより、RF信号をIF信号に変換してBBフィルタ１３Ｑに出力する。
【０００８】
BBフィルタ１３Ｉは、IF信号に変換されたOFDM信号のＩ成分のベースバンド信号を抽出してステップゲイン可変BBアンプ１４Ｉに出力する。BBフィルタ１３Ｑは、IF信号に変換されたOFDM信号のＱ成分のベースバンド信号を抽出してステップゲイン可変BBアンプ１４Ｑに出力する。
【０００９】
ステップゲイン可変BBアンプ１４Ｉは、AGC制御部１７から通知されるCOMP.ゲインに従い、OFDM信号のＩ成分のベースバンド信号を段階的に増幅してAD変換部１５Ｉに出力する。ステップゲイン可変BBアンプ１４Ｑは、AGC制御部１７から通知されるCOMP.ゲインに従い、OFDM信号のＱ成分のベースバンド信号を段階的に増幅してAD変換部１５Ｉに出力する。
【００１０】
AD変換部１５Ｉは、OFDM信号のＩ成分のベースバンド信号をデジタル信号に変換してAGC制御部１７およびOFDM復調部１８に出力する。AD変換部１５Ｑは、OFDM信号のＱ成分のベースバンド信号をデジタル信号に変換してAGC制御部１７およびOFDM復調部１８に出力する。
【００１１】
局部発振部１６は、周波数変換部１２Ｉに対して周波数変換用信号を供給する。また、局部発振部１６は、周波数変換部１２Ｉに対して供給した周波数変換用信号の位相を９０度ずらして周波数変換部１２Ｑに供給する。
【００１２】
AGC制御部１７は、AD変換部１５Ｉおよび１５Ｑの出力に基づいてRFゲインとCOMP.ゲインを決定し、それぞれをゲイン可変アンプ１１またはステップゲイン可変BBアンプ１４Ｉおよび１４Ｑに通知する。OFDM復調部１８は、デジタル化されたOFDM信号のＩ成分とＱ成分に基づき、送信されたシンボルを復調して後段に出力する。
【００１３】
受信装置１０においては、RF信号として入力されたOFDM信号は、ゲイン可変アンプ１１によりRFゲインに従って増幅され、周波数変換部１２Ｉおよび１２ＱによってIF信号に変換され、BBフィルタ１３Ｉおよび１３ＱによりＩ成分とＱ成分のベースバンド信号が抽出される。さらに、OFDM信号のＩ成分とＱ成分はステップゲイン可変BBアンプ１４Ｉおよび１４ＱによりCOMP.ゲインに従って増幅され、AD変換部１５Ｉおよび１５Ｑによりデジタル化されて、OFDM復調部１８によりシンボルに復調される。
【００１４】
図示したように、携帯端末に搭載される受信装置１０では、アナログ回路が削減されて小型化低消費電力を実現する離散制御型アンプを一部（ステップゲイン可変BBアンプ１４Ｉおよび１４Ｑ）に採用していることが特徴である。しかしながら、このように離散制御型アンプを採用した場合、急峻なゲイン変動があると、一般的にOFDM復調の特性が著しく劣化してしまうことが知られている。
【００１５】
そこで、急峻なゲイン変動を抑止するために連続制御アンプを追加して実装する方法が知られている（例えば、非特許文献１参照）。しなしながら、この方法では回路規模大と消費電力増を伴ってしまう。
【００１６】
そこで、急峻なゲイン変動を抑止する他の方法として、図２に示されるように、ADC出力をデジタル補正する方法も提案されている（例えば、非特許文献２参照）。
【００１７】
図２は、ADC出力をデジタル補正するためのデジタル補正部を含む、携帯端末にLSIとして搭載される、OFDM信号を受信する受信装置の従来の構成の一例を示している。
【００１８】
この受信装置２０は、ステップゲイン可変アンプ２１、周波数変換部１２Ｉおよび１２Ｑ、BBフィルタ１３Ｉおよび１３Ｑ、ステップゲイン可変BBアンプ１４Ｉおよび１４Ｑ、AD変換部(ADC)１５Ｉおよび１５Ｑ、デジタル補正部２２Ｉおよび２２Ｑ、局部発振部（LO Gen.）１６、AGC制御部(AGC CTRL LOGIC)２３、並びにOFDM復調部(DMD)１８から構成される。
【００１９】
受信装置２０は、図１の受信装置１０のゲイン可変アンプ１１とAGC制御部１７がそれぞれステップゲイン可変アンプ２１とAGC制御部２３に置換され、AD変換部１５ＩとOFDM復調部１８との間にデジタル補正部２２Ｉが、AD変換部１５ＱとOFDM復調部１８との間にデジタル補正部２２Ｑが設けられたものである。
【００２０】
ステップゲイン可変アンプ２１は、AGC制御部１７から通知されるRFゲインに従い、RF信号であるOFDM信号を段階的に増幅して周波数変換部１２Ｉおよび１２Ｑに出力する。
【００２１】
デジタル補正部２２Ｉは、AGC制御部２３から通知される補正ゲインに従い、アナログ回路におけるステップ応答（段階的に増幅）によってAD変換部１５Ｉの出力に生じ得るゲイン変動を補正するように動作する。デジタル補正部２２Ｑは、アナAGC制御部２３から通知される補正ゲインに従い、ログ回路におけるステップ応答によってAD変換部１５Ｑの出力に生じ得るゲイン変動を補正するように動作する。
【００２２】
AGC制御部２３は、デジタル補正部２２Ｉおよび２２Ｑの出力に基づき、RFゲインとCOMP.ゲインと補正ゲインを決定し、それぞれをステップゲイン可変アンプ２１、ステップゲイン可変BBアンプ１４Ｉおよび１４Ｑ、またはデジタル補正部２２Ｉおよび２２Ｑに通知する。
【００２３】
なお、図１の受信装置１０と共通する構成要素については、同一の符号を付しているので、その説明は省略する。
【先行技術文献】
【非特許文献】
【００２４】
【非特許文献１】K.Vavelidis, et al, “A 65nm CMOS Multi-Standard, Multi-Band Mobile TV Tuner”, 2007 IEEE
【非特許文献２】G.Spalink, “ Attenuator and method for attenuate “, Pub.No.:US2012/0225631 A1, Pub.Date: Sep.6,2012
【発明の概要】
【発明が解決しようとする課題】
【００２５】
デジタル補正部２２Ｉおよび２２Ｑによるデジタル補正について、図３を参照して説明する。
【００２６】
図３Ａは、デジタル補正部２２Ｉおよび２２Ｑの理想的なデジタル補正を示している。具体的には、RFゲインに従ったステップゲイン可変アンプ２１のステップ応答と、COMP.ゲインに従ったステップゲイン可変BBアンプ１４Ｉのステップ応答の逆特性をデジタル補正部２２で実現することにより、OFDM復調部１８への入力に急峻なゲイン変動が生じないように動作する。
【００２７】
しかしながら、実際には一般的にアナログ回路にはPVTバラツキを有するので、図３Ｂに示されるように、ステップゲイン可変アンプ２１とステップゲイン可変BBアンプ１４Ｉとのステップ応答のタイミングが一致しない。このため、デジタル補正部２２でも適切なタイミングで補正することができず、OFDM復調部１８への入力にその一部区間だけレベルが大きい（または小さい）信号となってしまいOFDM復調性能を劣化させてしまうことがあった。
【００２８】
本開示はこのような状況に鑑みてなされたものであり、受信装置における復調性能の劣化を抑止できるようにするものである。
【課題を解決するための手段】
【００２９】
本開示の一側面である受信装置は、データシンボルと無効データが配置されている信号を受信する受信装置において、入力された前記信号を増幅する増幅部と、前記無効データの区間に前記増幅部のゲインを調整するゲイン調整部とを備える。
【００３０】
入力された前記信号はOFDM信号とすることができ、前記無効データはガードインターバルとすることができる。
【００３１】
前記増幅部は、離散的にゲインを変えるアナログ回路とすることができる。
【００３２】
本開示の一側面である受信装置は、前記増幅部によるステップ応答の逆特性を有するデジタル補正部をさらに備えることができる。
【００３３】
本開示の一側面である受信装置は、デジタル補正後の前記OFDM信号を復調する復調部をさらに備えることができ、前記復調部は、前記ガードインターバルを除去するために利用する前記データシンボルの開始タイミングを表すデータタイミングを検出し、前記データタイミングを所定の遅延量だけずらすことにより前記ガードインターバルの開始タイミングを表すガードインターバルタイミングを生成して前記ゲイン調整部に通知することができる。
【００３４】
前記ゲイン調整部は、デジタル補正後の前記OFDM信号のRMS値を基準値に合わせるように前記増幅部のゲインを調整することができる。
【００３５】
前記ゲイン調整部は、デジタル補正後の前記OFDM信号のピーク値を基準値に合わせるように前記増幅部のゲインを調整することができる。
【００３６】
前記ゲイン調整部は、前記ガードインターバルタイミングに同期して前記増幅部のゲインを調整することができる。
【００３７】
前記ゲイン調整部は、デジタル補正後の前記OFDM信号のRMS値またはピーク値が予め設定されている範囲外の値であった場合、前記ガードインターバルタイミングに拘わらず前記増幅部のゲインを調整することができる。
【００３８】
前記ゲイン調整部は、デジタル補正後の前記OFDM信号のRMS値またはピーク値が予め設定されている範囲外の値であった場合、時定数をより大きな値に変更することができる。
【００３９】
本開示の一側面である受信方法は、データシンボルと無効データが配置されている信号を受信する受信装置の受信方法において、前記受信装置による、入力された前記信号を増幅する増幅ステップと、前記無効データの区間に前記増幅ステップのゲインを調整するゲイン調整ステップとを含む。
【００４０】
本開示の一側面であるプログラムは、データシンボルと無効データが配置されている信号を受信する受信装置の制御用のプログラムにおいて、入力された前記信号を増幅する増幅ステップと、前記無効データの区間に前記増幅ステップのゲインを調整するゲイン調整ステップとを含む処理を前記受信装置のコンピュータに実行させる。
【００４１】
本開示の一側面においては、無効データの区間に増幅のゲインが調整される。
【発明の効果】
【００４２】
本開示の一側面によれば、復調性能の劣化を抑止することができる。
【図面の簡単な説明】
【００４３】
【図１】OFDM信号を受信する従来の受信装置の構成の一例を示すブロック図である。
【図２】アナログ回路のステップ応答をデジタル補正するようにした受信装置の構成の一例を示すブロック図である。
【図３】デジタル補正を説明するための図である。
【図４】OFDM信号のシンボル構成を示す図である。
【図５】本開示を適用した受信装置の構成例を示すブロック図である。
【図６】図５のOFDM復調部の詳細な構成例を示すブロック図である。
【図７】G.I.タイミングの生成を説明するための図である。
【図８】図５のAGC制御部の詳細な構成例を示すブロック図である。
【発明を実施するための形態】
【００４４】
以下、本開示を実施するための最良の形態（以下、実施の形態と称する）について、図面を参照しながら詳細に説明する。
【００４５】
＜OFDM信号のシンボル構成について＞
図４は、本実施の形態である受信装置が受信するOFDM信号の一般的なシンボル構成を示している。
【００４６】
OFDM信号は、図示するように、データシンボルの前にガードインターバル（以下、G.I.と称する）が設けられることにより、データシンボルとG.I.が交互に配置されている。G.I.は、後ろに続くデータシンボルの終了部分がコピーされたものであり遅延波対策として設けられる。G.I.はOFDM復調処理にてFFTされる前に除去される。したがって、ODFM信号のG.I.にゲイン変動が生じていたとしても、OFDM復調処理に影響を与えない。
【００４７】
そこで、本実施の形態では、アナログ回路によるステップ応答（ゲインの段階的な切り替え）をG.I.に同期して行うようになされている。
【００４８】
＜本開示の実施の形態である受信装置の構成例＞
図５は、本開示の実施の形態であり、OFDM信号を受信する受信装置の構成例を示している。
【００４９】
この受信装置３０は、ステップゲイン可変アンプ２１、周波数変換部１２Ｉおよび１２Ｑ、BBフィルタ１３Ｉおよび１３Ｑ、ステップゲイン可変BBアンプ１４Ｉおよび１４Ｑ、AD変換部(ADC)１５Ｉおよび１５Ｑ、デジタル補正部２２Ｉおよび２２Ｑ、局部発振部（LO Gen.）１６、OFDM復調部(DMD)３１、並びにAGC制御部(AGC CTRL LOGIC)３２から構成される。
【００５０】
受信装置３０は、図２の受信装置２０のAGC制御部２３とOFDM復調部１８がそれぞれAGC制御部３２とOFDM復調部３１に置換されたものである。
【００５１】
OFDM復調部３１は、デジタル化されたOFDM信号のＩ成分とＱ成分に基づき、送信されたシンボルを復調して後段に出力する。また、OFDM復調部３１は、デジタル化されたOFDM信号のＩ成分とＱ成分に基づき、G.I.タイミングを検出してAGC制御部３２に通知する。
【００５２】
AGC制御部３２は、デジタル補正部２２Ｉおよび２２Ｑの出力に基づき、RFゲインとCOMP.ゲインと補正ゲインを決定し、OFDM制御部３１から通知されるG.I.タイミングに従い、RFゲイン、COMP.ゲイン、および補正ゲインを、それぞれステップゲイン可変アンプ２１、ステップゲイン可変BBアンプ１４Ｉおよび１４Ｑ、またはデジタル補正部２２Ｉおよび２２Ｑに通知する。なお、図２の受信装置２０と共通する構成要素については、同一の符号を付しているので、その説明は省略する。
【００５３】
次に、OFDM復調部３１について、図６および図７を参照して説明する。図６は、OFDM復調部３１の詳細な構成例を示している。図７は、OFDM復調部３１におけるG.I.タイミングの生成を説明するための図である。
【００５４】
OFDM復調部３１は、データタイミング生成部(Data Timing Gen.)４１、G.I.除去部(G.I. Remover)４２、FFT部４３、およびG.I.タイミング調整部４４から構成される。
【００５５】
データタイミング生成部４１は、前段のデジタル補正部２２Ｉおよび２２Ｑの出力から、図７に示されるように、ODFM信号のデータシンボル区間の開始を検出し、データタイミングとしてG.I.除去部４２およびG.I.タイミング調整部４４に通知する。G.I.除去部４２は、通知されたデータタイミングに基づき、デジタル補正部２２Ｉおよび２２Ｑの出力からG.I.を除去し、残ったデータのみをFFT部４３に出力する。FFT部４３は、G.I.除去部４２から入力されるデータをFFTすることにより、送信されたデータを復調する。G.I.タイミング調整部４４は、通知されたデータタイミングを所定の遅延量（データ区間の長さ）だけオフセットすることにより、G.I.タイミングを生成してAGC制御部３２に出力する。
【００５６】
次に、AGC制御部３２について説明する。図８は、AGC制御部３２の詳細な構成例を示している。ただし、デジタル補正部２２Ｉおよび２２Ｑに関する構成要素については図示を省略している。
【００５７】
AGC制御部３２は、演算部(RMS Calc.)５１、レベル検出部(Lvl Det.)５２、差分演算部５３、乗算部５４、積分演算部(Integrator)５５、制御信号生成部(Control Signal Gen.)５６、FF部５７、スイッチ５８、FF部５９、およびスイッチ６０から構成される。
【００５８】
演算部５１は、デジタル補正部２２Ｉおよび２２ＱからのOFDM信号のＩ成分とＱ成分を入力とし、RMS値（またはピーク値）を演算してレベル検出部５２および差分演算部５３に出力する。レベル検出部５２は、演算部５１からのRMS値（またはピーク値）が予め設定されている範囲に入っていない場合、その旨を示す信号を乗算部５４並びにスイッチ５８および６０に通知する。
【００５９】
差分演算部５３は、演算部５１からのRMS値（またはピーク値）と基準値(Ref.)との差分を演算して乗算部５４に出力する。乗算部５４は、RMS値（またはピーク値）と基準値との差分に所定の時定数を乗算して積分演算部５５に出力する。この時定数は、レベル検出部５２からの通知があった場合には、通知がない場合よりも大きく設定する。
【００６０】
積分演算部５５は、乗算部５４の出力を積分してその演算結果を制御信号生成部５６に出力する。制御信号生成部５６は、積分演算部５５からの入力に基づいてRFゲインとCOMP.ゲインを決定し、COMP.ゲインをFF部５７およびスイッチ５８の入力端子５８ａに出力し、RFゲインをFF部５９およびスイッチ６０の入力端子６０ａに出力する。
【００６１】
FF部５７は、そのCKに入力されるG.I.タイミングに同期して、COMP.ゲインをスイッチ５８の入力端子５８ｂに出力する。スイッチ５８は、レベル検出部５２からの通知があった場合には入力端子５８ａ側に切り替わって制御信号生成部５６から出力されるCOMP.ゲインを後段に出力し、通知がなかった場合には入力端子５８ｂ側に切り替わってFF部５７からG.I.タイミングに同期して出力されるCOMP.ゲインを後段に出力する。
【００６２】
FF部５９は、そのCKに入力されるG.I.タイミングに同期して、RFゲインをスイッチ６０の入力端子６０ｂに出力する。スイッチ６０は、レベル検出部５２からの通知があった場合には入力端子６０ａ側に切り替わって制御信号生成部５６から出力されるRFゲインを後段に出力し、通知がなかった場合には入力端子６０ｂ側に切り替わってFF部５９からG.I.タイミングに同期して出力されるRFゲインを後段に出力する。
【００６３】
上述したように構成されるAGC制御部３２では、OFDM信号のRMS値（またはピーク値）に基づく、RFゲインおよびCOMP.ゲインがG.I.タイミングに同期して通知されるので、OFDM復調性能に影響を与えることなく適切にゲイン調整を行うことができる。
【００６４】
ただし、OFDM信号のRMS値（またはピーク値）が予め設定されている範囲に入っていない場合、G.I.タイミングが正しく検出されていない可能性が大きく、できるだけ速やかにゲイン調整を行う必要があるので、時定数を大きく設定したRFゲインおよびCOMP.ゲインがG.I.タイミングに同期せずに通知される。
【００６５】
以上説明したように、本実施の形態である受信装置３０によれば、アナログ回路のステップ応答のずれに起因するOFDM復調の性能劣化を抑止することができる。さらに、この効果によりアナログ回路の仕様を大幅に緩和できるので、小型化と低消費電力を図ることができる。
【００６６】
本開示は、G.I.とデータとが交互に配置されているOFDM信号のようにデータシンボルの区間と、データとしては無効な区間とが交互に配置されている信号を受信するあらゆる受信装置に適用することができる。
【００６７】
ところで、上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【００６８】
なお、本開示の実施の形態は、上述した実施の形態に限定されるものではなく、本開示の要旨を逸脱しない範囲において種々の変更が可能である。
【００６９】
なお、本開示は以下のような構成も取ることができる。
（１）
データシンボルと無効データが配置されている信号を受信する受信装置において、
入力された前記信号を増幅する増幅部と、
前記無効データの区間に前記増幅部のゲインを調整するゲイン調整部と
を備える受信装置。
（２）
入力された前記信号はOFDM信号であり、
前記無効データはガードインターバルである
前記（１）に記載の受信装置。
（３）
前記増幅部は、離散的にゲインを変えるアナログ回路である
前記（１）または（２）に記載の受信装置。
（４）
前記増幅部によるステップ応答の逆特性を有するデジタル補正部を
さらに備える
前記（１）から（３）のいずれかに記載の受信装置。
（５）
デジタル補正後の前記OFDM信号を復調する復調部をさらに備え、
前記復調部は、前記ガードインターバルを除去するために利用する前記データシンボルの開始タイミングを表すデータタイミングを検出し、前記データタイミングを所定の遅延量だけずらすことにより前記ガードインターバルの開始タイミングを表すガードインターバルタイミングを生成して前記ゲイン調整部に通知する
前記（４）に記載の受信装置。
（６）
前記ゲイン調整部は、デジタル補正後の前記OFDM信号のRMS値を基準値に合わせるように前記増幅部のゲインを調整する
前記（４）に記載の受信装置。
（７）
前記ゲイン調整部は、デジタル補正後の前記OFDM信号のピーク値を基準値に合わせるように前記増幅部のゲインを調整する
前記（４）に記載の受信装置。
（８）
前記ゲイン調整部は、前記ガードインターバルタイミングに同期して前記増幅部のゲインを調整する
前記（４）に記載の受信装置。
（９）
前記ゲイン調整部は、デジタル補正後の前記OFDM信号のRMS値またはピーク値が予め設定されている範囲外の値であった場合、前記ガードインターバルタイミングに拘わらず前記増幅部のゲインを調整する
前記（４）に記載の受信装置。
（１０）
前記ゲイン調整部は、デジタル補正後の前記OFDM信号のRMS値またはピーク値が予め設定されている範囲外の値であった場合、時定数をより大きな値に変更する
前記（４）に記載の受信装置。
（１１）
データシンボルと無効データが配置されている信号を受信する受信装置の受信方法において、
前記受信装置による、
入力された前記信号を増幅する増幅ステップと、
前記無効データの区間に前記増幅ステップのゲインを調整するゲイン調整ステップと
を含む受信方法。
（１２）
データシンボルと無効データが配置されている信号を受信する受信装置の制御用のプログラムにおいて、
入力された前記信号を増幅する増幅ステップと、
前記無効データの区間に前記増幅ステップのゲインを調整するゲイン調整ステップと
を含む処理を前記受信装置のコンピュータに実行させるプログラム。
【符号の説明】
【００７０】
３０  受信装置，  ３１  OFDM復調部，  ３２  AGC制御部，  ４１  データタイミング生成部，  ４４  G.I.タイミング調整部，  ５１  演算部，  ５２  レベル検出部，  ５６  制御信号生成部，  ５７  FF部，  ５８スイッチ，  ５９  FF部，  ６０  スイッチ
【図１】
2015115679.tif 000003
【図２】
2015115679.tif 000004
【図３】
2015115679.tif 000005
【図４】
2015115679.tif 000006
【図５】
2015115679.tif 000007
【図６】
2015115679.tif 000008
【図７】
2015115679.tif 000009
【図８】
2015115679.tif 000010